(57)【要約】  適切なタイミングで適切なコンテンツを推奨する。プライムタイムに対応する視聴履歴を参照して、コンテンツのカテゴリを選択し、プライムタイムにおける推奨コンテンツとして、選択したカテゴリのコンテンツを、選択したカテゴリ以外のカテゴリのコンテンツよりも多く選択し、選択した推奨コンテンツに関する推奨コンテンツ情報を出力するコンテンツ推奨装置（１０）。
2019064814.tif 000002
【特許請求の範囲】
【請求項１】
記憶部と、
出力部と、
制御部と、を備え、
上記制御部は、
コンテンツの視聴履歴を上記記憶部に記憶させ、
特定の時間帯に対応する上記視聴履歴を参照して、上記コンテンツのカテゴリを選択し、
上記特定の時間帯における推奨コンテンツとして、選択した上記カテゴリのコンテンツを、選択した上記カテゴリ以外のカテゴリのコンテンツよりも多く選択し、
選択した上記推奨コンテンツに関する推奨コンテンツ情報を、上記特定の時間帯よりも前の時間帯に、上記出力部を介して出力する
ことを特徴とするコンテンツ推奨装置。
【請求項２】
上記制御部は、上記特定の時間帯の直前の時間帯に、上記推奨コンテンツ情報を出力する
ことを特徴とする請求項１に記載のコンテンツ推奨装置。
【請求項３】
上記制御部は、上記特定の時間帯よりも前の時間帯であって、所定の時間帯に、上記推奨コンテンツ情報を出力する
ことを特徴とする請求項１または２に記載のコンテンツ推奨装置。
【請求項４】
上記制御部は、上記推奨コンテンツ情報と共に、選択した上記カテゴリのコンテンツを推奨する理由を示す情報を出力する
ことを特徴とする請求項１または２に記載のコンテンツ推奨装置。
【請求項５】
上記制御部は、上記推奨コンテンツ情報と共に、上記推奨コンテンツ情報は上記特定の時間帯のためのものであることを示す情報を出力する
ことを特徴とする請求項１または３に記載のコンテンツ推奨装置。
【請求項６】
コンテンツの視聴履歴を記憶する記憶ステップと、
特定の時間帯における推奨コンテンツを選択する選択ステップと、
選択された上記推奨コンテンツに関する推奨コンテンツ情報を、上記特定の時間帯よりも前の時間帯に出力する出力ステップと、を含み、
上記選択ステップにおいて、
上記特定の時間帯に対応する上記視聴履歴を参照して、上記コンテンツのカテゴリを選択し、
上記特定の時間帯における上記推奨コンテンツとして、選択した上記カテゴリのコンテンツを、選択した上記カテゴリ以外のカテゴリのコンテンツよりも多く選択する
ことを特徴とするコンテンツ推奨方法。
【請求項７】
コンテンツ推奨装置、および通知装置を備えるコンテンツ推奨システムであって、
上記コンテンツ推奨装置は、
記憶部と、
出力部と、
コンテンツ推奨装置制御部と、を備え、
上記コンテンツ推奨装置制御部は、
コンテンツの視聴履歴を上記記憶部に記憶させ、
特定の時間帯に対応する上記視聴履歴を参照して、上記コンテンツのカテゴリを選択し、
上記特定の時間帯における推奨コンテンツとして、選択した上記カテゴリのコンテンツを、選択した上記カテゴリ以外のカテゴリのコンテンツよりも多く選択し、
選択した上記推奨コンテンツに関する推奨コンテンツ情報を、上記特定の時間帯よりも前の時間帯に、上記出力部を介して上記通知装置に出力し、
上記通知装置は、
取得部と、
通知部と、
通知装置制御部と、を備え、
上記通知装置制御部は、上記取得部を介して取得した上記推奨コンテンツ情報を参照し、上記推奨コンテンツに関する情報を、上記通知部を介して通知する
ことを特徴とするコンテンツ推奨システム。
【発明の詳細な説明】
【技術分野】
【０００１】
本発明の一態様は、コンテンツ推奨装置、コンテンツ推奨方法、および当該コンテンツ推奨装置を備えたコンテンツ推奨システムに関する。
【背景技術】
【０００２】
ユーザの閲覧履歴に基づいて、放送番組や動画、音楽、ゲームなどの様々な種類のコンテンツからなる推奨コンテンツリストを生成し、ユーザに提供する技術が知られている（例えば、特許文献１）。
【先行技術文献】
【特許文献】
【０００３】
【特許文献１】日本国公開特許公報「特許第５６１９６２１号公報（２０１４年９月２６日登録）」
【発明の概要】
【発明が解決しようとする課題】
【０００４】
しかしながら、動画、音楽、ゲームなどのコンテンツは利用する時刻の制限がない場合が多いため（換言すると、放送番組とは異なり、いつでも利用することができる場合が多いため）、従来のシステムでは、コンテンツを推奨するタイミングについて考慮されていなかった。そのため、従来のシステムでは、適切なタイミングでコンテンツを推奨するという点において、改善の余地がある。【０００５】
本発明は、上記の問題点に鑑みてなされたものであり、適切なタイミングで適切なコンテンツを推奨する技術を提供することにある。
【課題を解決するための手段】
【０００６】
上記の課題を解決するために、本発明の一態様に係るコンテンツ推奨装置は、記憶部と、出力部と、制御部と、を備え、上記制御部は、コンテンツの視聴履歴を上記記憶部に記憶させ、特定の時間帯に対応する上記視聴履歴を参照して、上記コンテンツのカテゴリを選択し、上記特定の時間帯における推奨コンテンツとして、選択した上記カテゴリのコンテンツを、選択した上記カテゴリ以外のカテゴリのコンテンツよりも多く選択し、選択した上記推奨コンテンツに関する推奨コンテンツ情報を、上記特定の時間帯よりも前の時間帯に、上記出力部を介して出力する。【０００７】
また、上記の課題を解決するために、本発明の一態様に係るコンテンツ推奨方法は、コンテンツの視聴履歴を記憶する記憶ステップと、特定の時間帯における推奨コンテンツを選択する選択ステップと、選択された上記推奨コンテンツに関する推奨コンテンツ情報を、上記特定の時間帯よりも前の時間帯に出力する出力ステップと、を含み、上記選択ステップにおいて、上記特定の時間帯に対応する上記視聴履歴を参照して、上記コンテンツのカテゴリを選択し、上記特定の時間帯における上記推奨コンテンツとして、選択した上記カテゴリのコンテンツを、選択した上記カテゴリ以外のカテゴリのコンテンツよりも多く選択する。【０００８】
また、上記の課題を解決するために、本発明の一態様に係るコンテンツ推奨システムは、コンテンツ推奨装置、および通知装置を備えるコンテンツ推奨システムであって、上記コンテンツ推奨装置は、記憶部と、出力部と、コンテンツ推奨装置制御部と、を備え、上記コンテンツ推奨装置制御部は、コンテンツの視聴履歴を上記記憶部に記憶させ、特定の時間帯に対応する上記視聴履歴を参照して、上記コンテンツのカテゴリを選択し、上記特定の時間帯における推奨コンテンツとして、選択した上記カテゴリのコンテンツを、選択した上記カテゴリ以外のカテゴリのコンテンツよりも多く選択し、選択した上記推奨コンテンツに関する推奨コンテンツ情報を、上記特定の時間帯よりも前の時間帯に、上記出力部を介して上記通知装置に出力し、上記通知装置は、取得部と、通知部と、通知装置制御部と、を備え、上記通知装置制御部は、上記取得部を介して取得した上記推奨コンテンツ情報を参照し、上記推奨コンテンツに関する情報を、上記通知部を介して通知する。
【発明の効果】
【０００９】
本発明の一態様によれば、適切なタイミングで適切なコンテンツを推奨することができる。
【図面の簡単な説明】
【００１０】
【図１】本発明の実施形態１に係るコンテンツ推奨システムの要部構成を示すブロック図である。
【図２】本発明の実施形態１におけるコンテンツ推奨装置が履歴情報を集計する処理の流れを示すフローチャートである。
【図３】本発明の実施形態１における集計結果の一例を示す表である。
【図４】本発明の実施形態１におけるコンテンツ推奨装置がプライムタイムテーブルを更新する処理の流れを示すフローチャートである。
【図５】本発明の実施形態１におけるプライムタイムテーブルの一例を示す表である。
【図６】本発明の実施形態１におけるコンテンツ推奨装置がカード情報を出力する処理の流れを示すフローチャートである。
【図７】本発明の実施形態における表示装置が表示するカードの一例を示す図である。
【図８】コンテンツ推奨装置、ユーザ管理サーバ、および表示装置として利用可能なコンピュータのハードウェア構成を例示したブロック図である。
【発明を実施するための形態】
【００１１】
〔実施形態１〕
以下、本発明の実施の形態について、詳細に説明する。
【００１２】
（コンテンツ推奨システム１）
図１は、本実施形態１に係るコンテンツ推奨システム１の要部構成を示すブロック図である。コンテンツ推奨システム１は、図１に示すように、コンテンツ推奨装置１０および表示装置（通知装置）４０によって構成されている。コンテンツ推奨システム１では、コンテンツ推奨装置１０および表示装置４０は、ネットワーク２を介して通信可能に接続されている。
【００１３】
コンテンツ推奨システム１では、コンテンツ推奨装置１０は、表示装置４０のユーザに対してプライムタイムにおいて推奨する推奨コンテンツであって、複数のカテゴリのコンテンツの中から所定の数の推奨コンテンツを選択する。そして、コンテンツ推奨装置１０は、当該プライムタイムよりも前の時間帯であるコンテンツ推奨時間帯において、選択した推奨コンテンツに関する推奨コンテンツ情報を含む情報であって、推奨コンテンツを推奨するための情報であるカード情報を表示装置４０に出力する。
【００１４】
ここで、プライムタイムとは、あるアプリケーションが実行された時間帯に偏りがあった場合、当該あるアプリケーションが頻繁に実行された時間帯のことを示す。換言すると、プライムタイムとは、あるアプリケーションが集中して実行された時間帯の事を示す。そのため、あるアプリケーションが実行された時間帯に偏りがあったとしても、実行された回数自体が少ない場合（例えば、２週間で２回など）は、当該実行された時間帯はプライムタイムとはしない構成であってもよい。なお、プライムタイムであるか否かをコンテンツ推奨装置１０が判定する構成の詳細については、参照する図面を替えて後述する。
【００１５】
ここで、推奨コンテンツとは、ユーザによるコンテンツの視聴履歴などを参照することにより決定されるコンテンツである。また、同じカテゴリとは、コンテンツの種類が同じであることを指す。本明細書では、コンテンツの種類として、音楽、ゲーム、動画（ＶＯＤ（Video On Demand））、および放送番組を用いて説明するが、これに限定されない。
【００１６】
また、本明細書では、アプリケーションが複数ある場合であっても、アプリケーションの種別が同じ場合は、１つのアプリケーションと見なす。例えば、動画を再生可能なＶＯＤアプリケーションが複数ある場合、当該複数のアプリケーションのうち何れのアプリケーションが実行されても、ＶＯＤアプリケーションが実行されたものとして扱う。しかしながら、本発明はこの構成に限定されず、アプリケーション毎に扱う構成であってもよい。
【００１７】
また、本明細書では、アプリケーションの種別として、音楽コンテンツを再生する音楽アプリケーション、ゲームを実行するゲームアプリケーション、動画を再生するＶＯＤアプリケーション、表示装置４０が受信する放送波に含まれる放送番組を再生する放送番組アプリケーションを用いて説明するが、これに限定されない。
【００１８】
表示装置４０は、カード情報を取得し、当該カード情報を参照することによって推奨コンテンツを推奨する。より具体的には、表示装置４０は、推奨するコンテンツ毎にカードとして表示する。そして、ユーザがカードを選択すると、表示装置４０は、選択されたカードに対応するコンテンツを再生（またはコンテンツを実行、以下、同様）する。
【００１９】
また、本明細書におけるコンテンツ推奨システム１では、コンテンツ推奨装置１０が４つの推奨コンテンツを推奨するためのカード情報を出力する構成について説明するが、本発明はこれに限定されない。例えば、コンテンツ推奨装置１０が５つ以上のコンテンツを推奨するためのカード情報を出力し、表示装置４０が当該５つ以上のコンテンツから４つのコンテンツを選択し、選択した４つのコンテンツを推奨する構成であってもよい。また、コンテンツ推奨装置１０が各コンテンツに優先度を設定し、表示装置４０が当該優先度を参照して推奨するコンテンツを選択する構成であってもよい。
【００２０】
（コンテンツ推奨装置１０）
コンテンツ推奨装置１０は、図１に示すように、コンテンツ推奨装置通信部（出力部）１２、コンテンツ推奨装置制御部（制御部）１４、カード情報記憶部１６、履歴情報記憶部（記憶部）１８、およびプライムタイムテーブル記憶部（記憶部）２０を備えている。
【００２１】
コンテンツ推奨装置１０は、履歴情報記憶部１８に記録されるコンテンツ視聴履歴から当該コンテンツのシリーズ、ジャンル、出演者情報に基づいて推奨コンテンツを決定し、当該推奨コンテンツに関する情報をカード情報としてカード情報記憶部１６に格納する。またコンテンツ推奨装置１０は、推奨コンテンツ情報やカード情報を、コンテンツ配信業者のおすすめリストやランキング情報などのコンテンツ視聴履歴に基づかない推奨情報に基づいて決定してもよい。またコンテンツ推奨装置１０は、これらの推奨コンテンツ情報やカード情報、おすすめリスト、ランキング情報などを、図示しない情報提供サーバなどから取得してもよい。
【００２２】
コンテンツ推奨装置通信部１２は、外部の装置とネットワーク２を介して通信するための通信インターフェースである。より具体的には、コンテンツ推奨装置通信部１２は、推奨コンテンツ情報を出力する。
【００２３】
コンテンツ推奨装置制御部１４は、例えば１つ以上のプロセッサ（例えばＣＰＵなど）が、メモリ（例えばＲＡＭ（random access memory）やＲＯＭ（read only memory）など）に記憶されているプログラムを実行することによって、コンテンツ推奨装置１０の各構成要素を制御する。コンテンツ推奨装置制御部１４の詳細については、後述する。
【００２４】
カード情報記憶部１６には、コンテンツ推奨装置１０が出力するカード情報が格納されている。カード情報記憶部１６は、例えば、内容の書き換えが可能な不揮発性メモリである、ＥＰＲＯＭ、ＥＥＰＲＯＭ（登録商標）、ＨＤＤ、フラッシュメモリなどで実現される。
【００２５】
履歴情報記憶部１８には、コンテンツ推奨装置制御部１４により、コンテンツの視聴履歴を含む履歴情報が記憶される。コンテンツの視聴履歴とは、当該コンテンツが視聴されたことを示す履歴（放送番組または動画が視聴されたことを示す履歴、音楽が再生されたことを示す履歴、およびゲームが実行されたことを示す履歴など）である。コンテンツ視聴履歴には、例えば、視聴されたコンテンツを示す情報、表示装置４０を特定するための端末ＩＤ、表示装置４０において実行されたアプリケーションの種類、および当該アプリケーションが実行された時刻を示す情報などが含まれていてもよい。これらの履歴情報は、コンテンツ推奨装置制御部１４が決定してもよく、コンテンツ推奨装置制御部１４が図示しない外部の視聴装置などから取得してもよい。履歴情報記憶部１８に記憶される形式は特に限定されないが、本明細書では、履歴情報の集計結果が記憶される。集計結果については、参照する図面を替えて詳細に説明する。また、履歴情報記憶部１８に記憶される履歴情報には、表示装置４０の電源がＯＮ（またはＯＦＦ）になったことを示す情報が含まれていてもよい。
【００２６】
なお、履歴情報は、端末ＩＤに替えて、ユーザを特定するためのユーザＩＤを示す情報であってもよい。履歴情報記憶部１８は、例えば、内容の書き換えが可能な不揮発性メモリである、ＥＰＲＯＭ、ＥＥＰＲＯＭ、ＨＤＤ、フラッシュメモリなどで実現される。
【００２７】
プライムタイムテーブル記憶部２０には、出力するカード情報を選択するための情報がプライムタイムテーブルとして格納されている。プライムタイムテーブル記憶部２０は、例えば、内容の書き換えが可能な不揮発性メモリである、ＥＰＲＯＭ、ＥＥＰＲＯＭ、ＨＤＤ、フラッシュメモリなどで実現される。
【００２８】
（コンテンツ推奨装置制御部１４）
コンテンツ推奨装置制御部１４は、図１に示すように、履歴情報取得部１４２、履歴情報集計部１４４、履歴情報解析部１４６、カード編成部１４８、およびカード情報出力部１５０としても機能する。
【００２９】
履歴情報取得部１４２は、コンテンツ推奨装置通信部１２を介して履歴情報を取得する。
【００３０】
履歴情報集計部１４４は、履歴情報を集計し、集計結果を履歴情報記憶部１８に格納する。
【００３１】
履歴情報解析部１４６は、履歴情報記憶部１８に格納されている集計結果を参照することによってプライムタイムテーブルを作成および更新し、作成後および更新後のプライムタイムテーブルをプライムタイムテーブル記憶部２０に格納する。
【００３２】
カード編成部１４８は、プライムタイムテーブル記憶部２０に格納されているプライムタイムテーブルを参照することによって、複数のカテゴリから特定のカテゴリを選択する。そして、カード編成部１４８は、推奨コンテンツとして、選択した特定のカテゴリのコンテンツを、特定のカテゴリ以外のコンテンツよりも多く選択する。カード編成部１４８は、推奨コンテンツに関する推奨コンテンツ情報を含むカード情報を、カード情報出力部１５０に出力する。
【００３３】
カード情報出力部１５０は、カード編成部１４８が出力したカード情報を、コンテンツ推奨装置通信部１２を介して出力する。
【００３４】
（表示装置４０）
表示装置４０は、図１に示すように、表示装置通信部（取得部）４２、表示装置制御部（通知装置制御部）４４、表示部（通知部）４６、および操作受付部４８を備えている。
【００３５】
表示装置通信部４２は、外部の装置と通信するための通信インターフェースである。
【００３６】
表示装置制御部４４は、例えば１つ以上のプロセッサ（例えばＣＰＵなど）が、メモリ（例えばＲＡＭやＲＯＭなど）に記憶されているプログラムを実行することによって、表示装置４０の各構成要素を制御する。表示装置制御部４４は、図１に示すように、履歴情報出力部４４２および表示制御部４４４としても機能する。
【００３７】
履歴情報出力部４４２は、操作受付部４８から出力された情報であって、ユーザからの操作を示す情報である操作情報を参照し、表示装置通信部４２を介して履歴情報を出力する。履歴情報出力部４４２が履歴情報を出力するための条件は限定されないが、例えば、所定の時間毎に出力、履歴情報に変更があった場合に出力（換言すると、コンテンツが視聴される度に、またはアプリケーションが実行される度に、履歴情報を出力）、などの構成が挙げられる。また、上述したように、履歴情報は、表示装置４０を特定するための端末ＩＤに替えて、ユーザを特定するためのユーザＩＤを示す情報を含んでいてもよい。この場合、表示装置４０は、ユーザ毎にユーザＩＤを事前に登録させ、ユーザにログインさせることにより、ユーザＩＤを示す履歴情報を出力することができる。
【００３８】
表示制御部４４４は、表示部４６を制御し、表示部４６に画像を表示させる。
【００３９】
表示部４６は、画像を表示することができるディスプレイデバイスである。
【００４０】
操作受付部４８は、ユーザの操作を受け付けるデバイスである。操作受付部４８は、ユーザから操作を受け付けると、当該操作を示す操作情報を出力する。
【００４１】
（履歴情報を集計する処理）
コンテンツ推奨装置１０が履歴情報を集計する処理（コンテンツの視聴履歴を履歴情報記憶部１８に記憶する処理）について、図２を参照して説明する。図２は、本実施形態におけるコンテンツ推奨装置１０が履歴情報を集計する処理の流れを示すフローチャートである。
【００４２】
（ステップＳ２）
コンテンツ推奨装置１０の履歴情報取得部１４２は、コンテンツ推奨装置通信部１２を介して履歴情報を取得する。履歴情報取得部１４２は、取得した履歴情報を履歴情報集計部１４４に出力する。
【００４３】
（ステップＳ４）
履歴情報集計部１４４は履歴情報を取得すると、当該履歴情報を集計する。具体的には、履歴情報集計部１４４は、履歴情報が示す端末ＩＤおよびアプリケーションの種別毎に、各時間帯において実行されたアプリケーションの回数を集計する。なお、履歴情報集計部１４４が集計する時間帯の幅は特に限定されず、例えば、３０分、または１時間などが挙げられる。なお、履歴情報集計部１４４は、取得した履歴情報が集計の対象となるアプリケーションの履歴情報であるか否かを判定する構成を備えていてもよい。この場合、履歴情報集計部１４４は、集計の対象となるアプリケーション以外のアプリケーションの履歴情報であった場合、図２の処理を終了する構成であってもよい。
【００４４】
（ステップＳ６：記憶ステップ）
履歴情報集計部１４４は集計結果を履歴情報記憶部１８に保存する。
【００４５】
（集計結果）
履歴情報集計部１４４が保存する集計結果について、図３を参照して説明する。図３は、本実施形態における集計結果の一例を示す表である。
【００４６】
図３は、２週間の間、ある端末があるアプリケーションを実行した履歴を集計した集計結果である。図３における「項番」は、時間帯を番号で示したものである。例えば、項番１の列は、０：００〜０：２９までを示しており、項番２の列は、０：３０〜０：５９までの時間帯を示している。換言すると、図３に示す集計結果は、２週間の間にある端末においてあるアプリケーションが実行された回数を３０分毎に集計したものである。
【００４７】
図３では、項番２９の合計行および木曜行に「２」が入力されている。これは、ある端末では、木曜日の１４：００〜１４：２９の時間帯において、あるアプリケーションが２回実行されたことを示している。また、１４：００〜１４：２９の時間帯では、あるアプリケーションは１週間で２回実行されたことを示している。
【００４８】
また、図３では、項番３０の合計行に「５」が入力されており、木曜行に「１」、金曜行に「４」が入力されている。これは、ある端末では、木曜日の１４：３０〜１４：５９の時間帯において、あるアプリケーションが１回実行されたことを示している。また、ある端末では、金曜日の１４：３０〜１４：５９の時間帯において、あるアプリケーションが４回実行されたことを示している。そして、１週間の間で、１４：３０〜１４：５９の時間帯では、ある端末ではあるアプリケーションが５回実行されたことを示している。
【００４９】
このように、コンテンツ推奨装置１０では、履歴情報を参照し、ある端末では、どの時間帯にどのアプリケーションがどのくらいの頻度で実行されたのかを集計する。そのため、履歴情報記憶部１８には、端末ＩＤ毎に、各アプリケーションの集計結果が格納される。
【００５０】
なお、履歴情報集計部１４４は、図３に示す集計結果以外に、曜日毎に集計してもよい。この場合、ある特定の曜日の特定の時間帯において頻繁に実行されるアプリケーションを特定することができる。
【００５１】
また、例えば、１台のテレビを複数のユーザが使用するといった、端末のユーザが複数いる場合を想定し、履歴情報集計部１４４は、想定したユーザ毎に履歴情報を集計してもよい。例えば、夕方１６時〜１８時に実行されたアプリケーションは子供によって実行されたアプリケーションであるとして集計し、深夜２２時〜２４時に実行されたアプリケーションは大人によって実行されたアプリケーションであるとして集計してもよい。
【００５２】
（プライムタイムテーブルを更新する処理）
コンテンツ推奨装置１０がプライムタイムテーブルを更新する処理について、図４を参照して説明する。図４は、本実施形態におけるコンテンツ推奨装置１０がプライムタイムテーブルを更新する処理の流れを示すフローチャートである。
【００５３】
（ステップＳ２０）
コンテンツ推奨装置１０の履歴情報解析部１４６は、対象となる端末を示す端末ＩＤを取得する。なお、履歴情報解析部１４６は、端末ＩＤを取得する構成ではなくとも、対象とする端末の端末ＩＤを決定する構成であってもよい。
【００５４】
（ステップＳ２２）
履歴情報解析部１４６は、ステップＳ２０における端末ＩＤに関連付けられた集計結果のうち、対象となるアプリケーションの種類である対象アプリ種の集計結果を、履歴情報記憶部１８から取得する。
【００５５】
（ステップＳ２４）
履歴情報解析部１４６は、取得した対象アプリ種の集計結果を参照し、対象アプリ種の実行回数であるログ数が閾値以上か否かを判定する。ここで、閾値は、対象アプリ種がある程度実行されているか否かを判定するために用いられる。閾値は特に限定されないが、例えば、１日１回、または１週間で５回など、任意に設定する構成であってよい。
【００５６】
（ステップＳ２６）
ステップＳ２４において、対象アプリ種のログ数が閾値以上であると判定された場合（ステップＳ２４：ＹＥＳ）、履歴情報解析部１４６は、時間帯別の偏りを算出する。
【００５７】
ここで、偏りの算出方法は特に限定されないが、例えば、全ログ数に対する割合を算出することにより、偏りを算出する方法が挙げられる。例えば、全ログ数が１０であり、ある時間帯におけるログ数が３の場合、偏りは３０％である。
【００５８】
（ステップＳ２８）
履歴情報解析部１４６は、時間帯によって偏りがあるか否かを判定する。履歴情報解析部１４６は、時間帯によって偏りがあるか否かを、閾値を用いて判定してもよい。例えば、ステップＳ２６において、全ログ数に対する割合を算出することによって偏りを算出した場合、算出された割合が閾値を超えた場合、履歴情報解析部１４６は偏りがあると判定してもよい。閾値は特に限定されないが、例えば、２５％、３０％、５０％など、任意に設定する構成であってよい。ここでの閾値は、時間帯によって特定のアプリケーションが実行されているか、および対象アプリ種が一日中実行されていないかを判定するために用いられる。
【００５９】
（ステップＳ３０：記憶ステップ）
ステップＳ２８において、偏りがあると判定された場合（ステップＳ２８：ＹＥＳ）、履歴情報解析部１４６は、偏っていると判定した時間帯をプライムタイムとする。そして、履歴情報解析部１４６は、プライムタイムテーブル記憶部２０に格納されているプライムタイムテーブルを更新する。
【００６０】
一方、ステップＳ２４において、対象アプリ種のログ数が閾値以上ではないと判定された場合（ステップＳ２４：ＮＯ）、またはステップＳ２８において、偏りがないと判定された場合（ステップＳ２８：ＮＯ）、図４に示す処理を終了する。
【００６１】
（プライムタイムテーブル）
プライムタイムテーブルについて、図５を参照して説明する。図５は、本実施形態におけるプライムテーブルの一例を示す表である。なお、図５に示すプライムタイムテーブルでは、プライムタイムは１時間毎で管理されている。
【００６２】
図５に示すように、プライムタイムテーブルでは、端末ＩＤと、アプリケーション種別およびプライムタイムを示すプライムタイム情報とが関連付けられている。換言すると、図５に示すプライムタイムテーブルでは、端末に対して、どのアプリケーションのプライムタイムがいつであるかが関連付けられている。
【００６３】
例えば、端末ＩＤが「ＡＴＶ０１０００１」の端末では、ＶＯＤアプリケーションのプライムタイムは、１３時、１４時、および１５時である。換言すると、端末ＩＤが「ＡＴＶ０１０００１」の端末では、１３時からの１時間、１４時からの１時間、１５時からの１時間の時間帯において、ＶＯＤアプリケーションの利用頻度が高くなっている。
【００６４】
また、端末ＩＤが「ＡＴＶ０１０００２」の端末では、２０時からの１時間、２１時からの１時間、２２時からの１時間の時間帯において、ＶＯＤアプリケーションの利用頻度が高くなっている。また、端末ＩＤが「ＡＴＶ０１０００２」の端末では、１０時からの１時間、１１時からの１時間の時間帯において、音楽アプリケーションの利用頻度が高くなっている。
【００６５】
（カード情報を出力する処理）
コンテンツ推奨装置１０がカード情報を出力する処理（コンテンツ推奨方法）について、図６を参照して説明する。図６は、本実施形態におけるコンテンツ推奨装置１０がカード情報を出力する処理の流れを示すフローチャートである。
【００６６】
（ステップＳ４０）
コンテンツ推奨装置１０のカード編成部１４８は、対象となる端末を示す端末ＩＤを取得する。なお、カード編成部１４８は、端末ＩＤを取得する構成ではなくとも、対象とする端末の端末ＩＤを決定する構成であってもよい。
【００６７】
（ステップＳ４２）
カード編成部１４８は、プライムタイムテーブル記憶部２０を参照し、ステップＳ４０における端末ＩＤに関連付けられたプライムタイム情報を取得する。
【００６８】
（ステップＳ４４）
カード編成部１４８は、取得したプライムタイム情報が示すプライムタイムを参照し、現在時刻がプライムタイムに先立ったコンテンツ推奨時間帯であるか否かを判定する。換言すると、カード編成部１４８は、プライムタイムに対応する履歴情報を参照して、コンテンツ推奨時間帯であるか否かを判定する。
【００６９】
ここで、コンテンツ推奨時間帯の例として、プライムタイムの直前（例えば、１時間前〜プライムタイムまでの時間帯、プライムタイムと隣接した時間帯）、プライムタイムから第１の所定の時間前〜プライムタイムから第２の所定の時間前の時間帯（例えば、プラムタイムから１０時間前〜９時間前までの期間、プライムタイムと隣接しない時間帯）、プライムタイムに先立つ時間帯であり、所定の時間帯（例えば、朝の８時〜朝の９時）などが挙げられる。
【００７０】
また、コンテンツ推奨装置１０が、表示装置４０から、表示装置４０の電源がＯＮ（またはＯＦＦ）になったことを示す情報を取得する構成の場合、表示装置４０の電源がＯＮになったことを示す情報を取得してから所定の時間帯を、コンテンツ推奨時間帯としてもよい。例えば、表示装置４０の電源がＯＮになったことを示す情報を取得してから３０分間をコンテンツ推奨時間帯とした場合、電源がＯＮになったタイミングでコンテンツを推奨することができる。
【００７１】
（ステップＳ４６：選択ステップ）
ステップＳ４４において、コンテンツ推奨時間帯であると判定された場合（ステップＳ４４：ＹＥＳ）、カード編成部１４８は、プライムタイム情報が示すアプリケーション種別（以下、「プライムタイムアプリ（特定のカテゴリ）」と称する）を選択する。換言すると、カード編成部１４８は、プライムタイムに対応する履歴情報を参照して、プライムタイムアプリを選択する。
【００７２】
さらに、カード編成部１４８は、プライムタイムにおける推奨コンテンツを選択する。ここで、カード編成部１４８は、プライムタイムアプリのコンテンツを、プライムタイムアプリ以外のコンテンツよりも多く選択する。そして、カード編成部１４８は、選択したコンテンツを推奨コンテンツとして、当該推奨コンテンツに関する推奨コンテンツ情報を含むカード情報を、カード情報記憶部１６から取得する。カード編成部１４８は、取得したカード情報を、カード情報出力部１５０に出力する。
【００７３】
（ステップＳ４８：出力ステップ）
カード情報出力部１５０は、取得したカード情報を、コンテンツ推奨装置通信部１２を介して表示装置４０に出力する。換言すると、カード情報出力部１５０は、推奨コンテンツに関する推奨コンテンツ情報を含むカード情報を、プライムタイムよりも前の時間帯に出力する。
【００７４】
（表示装置４０に表示されるカード）
表示装置４０が表示するカードの構成について、図７を用いて説明する。図７は、本実施形態における表示装置４０が表示するカードの一例を示す図である。図７の（ａ）は、表示装置４０がコンテンツ推奨時間帯以外において表示するカードの一例であり、（ｂ）は、表示装置４０がコンテンツ推奨時間帯において表示するカードの一例である。
【００７５】
コンテンツ推奨装置１０は、コンテンツ推奨時間帯以外では各アプリケーション種別にそれぞれ対応するコンテンツのカードを表示するためのカード情報を出力する。そのため、表示装置４０は、図７の（ａ）に示すように、コンテンツ推奨時間帯以外では各アプリケーション種別に対応するコンテンツのカードであるカード６２、カード６４、カード６６、カード６８を表示する。なお、コンテンツ推奨システム１では、カード６２〜６８と共に、当該カード（コンテンツ）が選択された理由を示すテキスト７０を表示装置４０が表示する構成であってもよい。テキスト７０の他の例として、「明日はこのドラマが放送されます」、「ＸＸＸＸさんが出演する番組です」などが挙げられる。なお、詳細は後述の実施形態において説明するが、コンテンツ推奨装置１０は、テキスト７０を表示装置４０に表示させる態様に替えて（または加えて）、テキスト７０の内容を音声など、他の態様において通知する構成であってもよい。また、この構成は後述するテキスト８０においても同様である。
【００７６】
一方、コンテンツ推奨装置１０は、コンテンツ推奨時間帯ではプライムタイムアプリに対応するコンテンツのカードを表示するためのカード情報を出力する。そのため、表示装置４０は、図７の（ｂ）に示すように、プライムタイムアプリであるＶＯＤアプリケーションに対応するコンテンツのカード７４、カード７６、カード７８を表示する。
【００７７】
また、コンテンツ推奨装置１０は、コンテンツ推奨時間帯では、なぜプライムタイムアプリのコンテンツを推奨しているのか理由を示すテキスト８０をカードと共に表示させる構成であってもよい。換言すると、コンテンツ推奨装置１０は、推奨コンテンツ情報に加えて、テキスト８０を示す情報を含むカード情報を出力する構成であってもよい。図７の（ｂ）では、テキスト８０によって、なぜＶＯＤアプリケーションのコンテンツが推奨されているのかユーザに知らせることができる。
【００７８】
また、コンテンツ推奨装置１０は、プライムタイムよりも前の時間帯であり、所定の時間帯をコンテンツ推奨時間帯とする場合、推奨しているコンテンツはプライムタイムのためのコンテンツであることを表示させる構成であってもよい。換言すると、コンテンツ推奨装置１０は、推奨コンテンツ情報に加え、当該推奨コンテンツ情報はプライムタイムのためのものであることを示す情報を含むカード情報を出力する構成であってもよい。この場合、例えば、コンテンツ推奨装置１０は、図７のテキスト８０に替えて、「今日はこのようなコンテンツはいかがですか？」または「今晩はこのようなコンテンツはいかがですか？」といったテキストを表示する構成が挙げられる。
【００７９】
ここで、「プライムタイムのためのもの」とは、プライムタイムにおいて再生（実行）されることを推奨するコンテンツを意味しており、例えば、プライムタイムにおいて視聴されることを推奨する動画、プライムタイムにおいて実行されることを推奨するゲームなどが含まれる。
【００８０】
なお、コンテンツ推奨システム１では、プライムタイムアプリに対応するコンテンツのカードを表示する数は特に限定されない。例えば、図７の（ｂ）に示すように、プライムタイムアプリ以外のアプリケーション種別に対応するコンテンツのカード７２を１つ表示し、残りをプライムタイムアプリに対応するコンテンツのカード７４〜７８を表示する構成であってもよいし、表示可能なカードの枚数の半分の枚数表示する構成であってもよい。
【００８１】
また、コンテンツ推奨システム１では、コンテンツ推奨装置１０は、図１には図示していない他の端末にカード情報を出力する構成であってもよい。他の端末の例として、スマートフォン、タブレット端末などが挙げられる。この場合、コンテンツ推奨装置１０は、予め表示装置４０の端末ＩＤと、他の端末を特定するための端末ＩＤとを関連付けておく。そして、コンテンツ推奨装置１０は、表示装置４０に対して出力するカード情報を、表示装置４０に替えて（または、表示装置４０に加えて）、他の端末に出力する構成であってもよい。
【００８２】
このように、コンテンツ推奨システム１では、コンテンツ推奨装置１０は、コンテンツの視聴履歴を記憶する履歴情報記憶部１８およびプライムタイムテーブル記憶部２０と、コンテンツ推奨装置通信部１２と、コンテンツ推奨装置制御部１４を備える。そして、コンテンツ推奨装置制御部１４は、プライムタイムに対応する視聴履歴を参照して、複数のカテゴリから特定のカテゴリ（プライムタイムアプリ）を選択し、プライムタイムおける推奨コンテンツとして、特定のカテゴリのコンテンツを、当該特定のカテゴリ以外のカテゴリのコンテンツよりも多く選択し、選択した推奨コンテンツに関する推奨コンテンツ情報を、プライムタイムより前の時間帯（特定の時間帯よりも前の時間帯）に、コンテンツ推奨装置通信部１２を介して出力する。この構成によれば、コンテンツ推奨システム１では、適切なタイミングで適切なコンテンツを推奨することができる。
【００８３】
また、コンテンツ推奨システム１では、コンテンツ推奨装置１０は、プライムタイムの直前の時間帯に、推奨コンテンツ情報を出力してもよい。この構成によれば、コンテンツ推奨システム１では、プライムタイムの直前に、プライムタイムにおいてユーザが頻繁に実行するプライムタイムアプリに対応するコンテンツを推奨することができる。
【００８４】
また、コンテンツ推奨システム１では、コンテンツ推奨装置１０は、プライムタイムよりも前の時間帯であって、所定の時間帯をコンテンツ推奨時間帯として、推奨コンテンツ情報を出力してもよい。この構成によれば、例えば、夜のプライムタイムにおいてユーザが頻繁に実行するプライムタイムアプリに対応するコンテンツを、朝の時間帯に推奨することができる。
【００８５】
また、コンテンツ推奨システム１では、コンテンツ推奨装置１０は、推奨コンテンツ情報と共に、プライムタイムアプリのコンテンツを推奨する理由を示す情報を出力する構成であってもよい。この構成によれば、例えば、ＶＯＤアプリケーションのコンテンツが多く推奨されている場合、なぜＶＯＤアプリケーションのコンテンツが多く推奨されているのかをユーザに知らせることができる。
【００８６】
また、コンテンツ推奨システム１では、コンテンツ推奨装置１０は、推奨コンテンツ情報と共に、推奨コンテンツ情報はプライムタイムのためのものであることを示す情報を出力する構成であってもよい。この構成によれば、今後プライムタイムがあり、当該プライムタイムにおいて推奨されているコンテンツがあることをユーザに知らせることができる。
【００８７】
〔実施形態２〕
上述の実施形態では、表示によってコンテンツを推奨する場合について説明したが、表示以外の態様でコンテンツを推奨してもよい。本実施形態では、表示に加えて、音声によってコンテンツを推奨する構成について説明する。なお、説明の便宜上、上記実施形態にて説明した部材と同じ機能を有する部材については、同じ符号を付記し、その説明を繰り返さない。
【００８８】
（コンテンツ推奨システム１ａ）
本実施形態に係るコンテンツ推奨システム１ａでは、コンテンツ推奨装置１０および表示装置４０ａによって構成されている。
【００８９】
表示装置４０ａは、上述した表示装置４０の構成に加えて発話部（通知部）５０と、表示装置制御部４４に替えて表示装置制御部４４ａを備えている。
【００９０】
表示装置制御部４４ａは、履歴情報出力部４４２および表示制御部４４４に加えて、発話制御部４４６としても機能する。発話制御部４４６は、発話部５０を制御し、発話部５０から音を発話させる。
【００９１】
発話部５０は、音を出力することができるデバイスである。
【００９２】
なお、本実施形態では、表示に加えて音声によってコンテンツを推奨する構成について説明するが、本発明はこれに限定されず、ユーザに通知可能な方法であれば、その態様は限定されない。
【００９３】
（発話の例）
コンテンツ推奨システム１ａでは、表示装置４０ａは、図７に示すテキスト８０の内容を発話することによってユーザに通知する。例えば、発話制御部４４６は、カード情報を参照し、「いつも動画サービスをご利用されている時間ですね」という音声を発話部５０から発話させる。この構成により、コンテンツ推奨システム１ａでは、ユーザに特別な時間であることを通知することができる。
【００９４】
〔実施形態３〕
本実施形態に係るコンテンツ推奨システム１ｂでは、コンテンツ推奨時間帯を複数設けた場合について、説明する。なお、説明の便宜上、上記実施形態にて説明した部材と同じ機能を有する部材については、同じ符号を付記し、その説明を繰り返さない。
【００９５】
コンテンツ推奨システム１ｂの構成は、上述した実施形態におけるコンテンツ推奨システム１と同様、コンテンツ推奨装置１０および表示装置４０によって構成されている。
【００９６】
コンテンツ推奨システム１ｂでは、コンテンツ推奨装置１０は、コンテンツ推奨時間帯を複数設ける。例えば、コンテンツ推奨装置１０は、プライムタイムの１時間前〜プライムタイムまでの時間帯、および朝の８時〜朝の９時までを、コンテンツ推奨時間帯とする。この場合、コンテンツ推奨装置１０は、朝の８時〜朝の９時までに、コンテンツを推奨するための第１のカード情報を出力する。その後、コンテンツ推奨装置１０は、プライムタイムの１時間前〜プライムタイムまでの時間帯に、コンテンツを推奨するための第２のカード情報を出力する。
【００９７】
ここで、第１のカード情報および第２のカード情報のそれぞれによって推奨されるコンテンツは、同じコンテンツであってもよいし、異なるコンテンツ（ただし、コンテンツのカテゴリは同じ）であってもよい。第１のカード情報および第２のカード情報のそれぞれによって推奨されるコンテンツが同じコンテンツである場合、コンテンツ推奨装置１０は、朝に推奨したコンテンツを、プライムタイムの直前に再度ユーザに通知することができる。一方、第１のカード情報および第２のカード情報のそれぞれによって推奨されるコンテンツが異なる場合、コンテンツは異なってもカテゴリは同じであるため、コンテンツ推奨装置１０は、ユーザに同じカテゴリの多くのコンテンツを推奨することができる。
【００９８】
〔実施形態４〕
上記各実施形態では、コンテンツ推奨装置１０が１つのサーバで実現される構成について説明したが、複数のサーバにて実現される構成であってもよい。そのため、コンテンツ推奨システム１（１ａ、１ｂ）を提供する事業者が所望するサーバの構成にて、コンテンツ推奨システムを実現することができる。
【００９９】
また、複数のサーバを適用する場合においては、各サーバは、同じ事業者によって管理されていてもよいし、異なる事業者によって管理されていてもよい。
【０１００】
また、コンテンツ推奨装置１０および表示装置４０が一体となった構成であってもよい。この場合、コンテンツ推奨装置制御部１４のカード情報出力部１５０は、推奨コンテンツ情報を含むカード情報を表示部（出力部）４６および発話部（出力部）５０に出力する構成であってもよい。
【０１０１】
〔実施形態５〕
コンテンツ推奨装置１０、および表示装置４０（４０ａ）の各ブロックは、集積回路（ＩＣチップ）等に形成された論理回路（ハードウェア）によって実現してもよいし、例えば１つ以上のプロセッサによって実行されるソフトウェアによって実現してもよい。後者の場合、コンテンツ推奨装置１０、および表示装置４０（４０ａ）のそれぞれを、図８に示すようなコンピュータ（電子計算機）を用いて構成することができる。
【０１０２】
図８は、コンテンツ推奨装置１０、および表示装置４０（４０ａ）として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えば１つ以上のプロセッサ（例えばＣＰＵなど）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１０３】
補助記憶装置９１４には、コンピュータ９１０をコンテンツ推奨装置１０、および表示装置４０（４０ａ）として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、コンテンツ推奨装置１０、および表示装置４０（４０ａ）が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０１０４】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１０５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０６】
１、１ａ、１ｂ  コンテンツ推奨システム
１０  コンテンツ推奨装置
１２  コンテンツ推奨装置通信部（出力部）
１４  コンテンツ推奨装置制御部（制御部）
１４２  履歴情報取得部
１４４  履歴情報集計部
１４６  履歴情報解析部
１４８  カード編成部
１５０  カード情報出力部
１６  カード情報記憶部
１８  履歴情報記憶部（記憶部）
２０  プライムタイムテーブル記憶部（記憶部）
４０、４０ａ  表示装置（通知装置）
４２  表示装置通信部（取得部）
４４  表示制御部（通知装置制御部）
４４２  履歴情報出力部
４４４  表示制御部
４４６  発話制御部
４６  表示部（通知部、出力部）
４８  操作受付部
５０  発話部（通知部、出力部）
【図１】
2019064814.tif 000003
【図２】
2019064814.tif 000004
【図３】
2019064814.tif 000005
【図４】
2019064814.tif 000006
【図５】
2019064814.tif 000007
【図６】
2019064814.tif 000008
【図７】
2019064814.tif 000009
【図８】
2019064814.tif 000010
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
記憶部と、
出力部と、
制御部と、を備え、
上記制御部は、
コンテンツの視聴履歴を上記記憶部に記憶させ、
特定の時間帯に対応する上記視聴履歴を参照して、上記コンテンツを実行するためのアプリケーションを選択し、
上記特定の時間帯における推奨コンテンツとして、選択した上記アプリケーションが実行するコンテンツを、選択した上記アプリケーション以外のアプリケーションが実行するコンテンツよりも多く選択し、
選択した上記推奨コンテンツに関する推奨コンテンツ情報を、上記特定の時間帯よりも前の時間帯に、上記出力部を介して出力する
ことを特徴とするコンテンツ推奨装置。
【請求項２】
上記制御部は、上記特定の時間帯の直前の時間帯に、上記推奨コンテンツ情報を出力する
ことを特徴とする請求項１に記載のコンテンツ推奨装置。
【請求項３】
上記制御部は、上記特定の時間帯よりも前の時間帯であって、所定の時間帯に、上記推奨コンテンツ情報を出力する
ことを特徴とする請求項１または２に記載のコンテンツ推奨装置。
【請求項４】
上記制御部は、上記推奨コンテンツ情報と共に、選択した上記アプリケーションが実行するコンテンツを推奨する理由を示す情報を出力する
ことを特徴とする請求項１または２に記載のコンテンツ推奨装置。
【請求項５】
上記制御部は、上記推奨コンテンツ情報と共に、上記推奨コンテンツ情報は上記特定の時間帯のためのものであることを示す情報を出力する
ことを特徴とする請求項１または３に記載のコンテンツ推奨装置。
【請求項６】
上記制御部は、
同種の複数のコンテンツを再生する複数のアプリケーションを有する場合において、
同種の複数のコンテンツが、異なるアプリケーションで再生された場合であっても、
同種のアプリケーションとして、上記コンテンツを実行するためのアプリケーションを選択することを特徴とする請求項１に記載のコンテンツ推奨装置。
【請求項７】
コンテンツの視聴履歴を記憶する記憶ステップと、
特定の時間帯における推奨コンテンツを選択する選択ステップと、
選択された上記推奨コンテンツに関する推奨コンテンツ情報を、上記特定の時間帯よりも前の時間帯に出力する出力ステップと、を含み、
上記選択ステップにおいて、
上記特定の時間帯に対応する上記視聴履歴を参照して、上記コンテンツを実行するためのアプリケーションを選択し、
上記特定の時間帯における上記推奨コンテンツとして、選択した上記アプリケーションが実行するコンテンツを、選択した上記アプリケーション以外のアプリケーションが実行するコンテンツよりも多く選択する
ことを特徴とするコンテンツ推奨方法。
【請求項８】
コンテンツ推奨装置、および通知装置を備えるコンテンツ推奨システムであって、
上記コンテンツ推奨装置は、
記憶部と、
出力部と、
コンテンツ推奨装置制御部と、を備え、
上記コンテンツ推奨装置制御部は、
コンテンツの視聴履歴を上記記憶部に記憶させ、
特定の時間帯に対応する上記視聴履歴を参照して、上記コンテンツを実行するためのアプリケーションを選択し、
上記特定の時間帯における推奨コンテンツとして、選択した上記アプリケーションが実行するコンテンツを、選択した上記アプリケーション以外のアプリケーションが実行するコンテンツよりも多く選択し、
選択した上記推奨コンテンツに関する推奨コンテンツ情報を、上記特定の時間帯よりも前の時間帯に、上記出力部を介して上記通知装置に出力し、
上記通知装置は、
取得部と、
通知部と、
通知装置制御部と、を備え、
上記通知装置制御部は、上記取得部を介して取得した上記推奨コンテンツ情報を参照し、上記推奨コンテンツに関する情報を、上記通知部を介して通知する
ことを特徴とするコンテンツ推奨システム。
【国際調査報告】
2019064814.tif 000011
2019064814.tif 000012
2019064814.tif 000013
2019064814.tif 000014